(57)【特許請求の範囲】
【請求項１】
以下の構成を備える電気かみそり：
使用者の手で把持されるハンドグリップ；
ハンドグリップ上端に設けた刃ヘッド、この刃ヘッドは少なくとも一つの髭剃りユニットを有し、この髭剃りユニットは外刃箔及びこの外刃箔に剪断係合様式で駆動される内刃で構成される；
上記外刃箔は髭を導入する複数の孔を有し、
上記外刃箔は長尺体で長さを有し、幅方向に沿って湾曲されて略Ｃ字形の断面を形成する横湾曲部を有し、外刃箔の頂点を跨ぐ一様な曲率半径を有する上記横湾曲部の曲率半径は、１．５ｍｍ〜３．５ｍｍである
上記外刃箔はその長さに沿って一様に凸に湾曲することで長手湾曲輪郭を有し、上記長手湾曲輪郭の曲率半径は１５０ｍｍ〜３５０ｍｍである；
上記外刃箔の孔は外刃箔の長さにほぼ沿って延びる長軸を有する形状となり、
上記外刃箔の中央部より長手方向の端部に行くに従って上記長軸が長くなるようなパターンで上記の孔が配列された。
【請求項２】
請求項１の電気かみそりにおいて、
上記外刃箔の中央部より長手方向の端部に行くに従って上記外刃箔の長手方向軸に対して上記長軸がなす角度が大きくなるようなパターンで上記の孔が配列された。
【請求項３】
請求項１の電気かみそりにおいて、
上記各孔は、その上端周囲に使用者の肌に接触する丸み付けされた肩部を残し、
この肩部の曲率半径は、上記の外刃箔の長手方向の端部より中央部に行くに従って、小さくなる。
【請求項４】
請求項１の電気かみそりにおいて、
上記の刃ヘッドは長手軸とこれに直交する横軸とを有する形状となり、２つの上記髭剃りユニットを保持するもので、各髭剃りユニットは上記の刃ヘッドの長手軸に沿った長尺体であり、
上記２つの髭剃りユニットは、肌との接触により押し下げられた時に異なる肌接触圧を発生させるように構成された。
【請求項５】
請求項１の電気かみそりにおいて、
上記の刃ヘッドは長手軸とこれに直交する横軸とを有する形状となり、２つの上記髭剃りユニットを保持するもので、各髭剃りユニットは上記の刃ヘッドの長手軸に沿った長尺体であり、
上記２つの髭剃りユニットの各外刃箔は長手方向軸の両端で上記刃ヘッドにフロート支持され、
各外刃箔は、外刃箔の長手方向軸が刃ヘッドの長手軸と或る角度で交差するようにバネ負荷に抗して傾動可能であると共に外刃箔の長手方向軸が刃ヘッドの長手軸と平行な状態でバネ負荷に抗して押し下げ可能であり、
上記２つの外刃箔は刃ヘッドに対して互いに独立して傾動及び押し下げされる。
【発明の詳細な説明】
【技術分野】
【０００１】
本発明は、ネット状の外刃箔とこの外刃箔に剪断係合様式で駆動される内刃とを備えた電気かみそりに関するものである。
【背景技術】
【０００２】
一般に、電気かみそりは、外刃箔とこの外刃箔に剪断係合様式で駆動される内刃とを備える。外刃箔は長尺体で長さを有し、外刃箔はその長さ方向において平坦である。この場合、頬など顔の平坦な部分を剃るとき、外刃箔と肌との密着度が高い。
【０００３】
これに対し、日本公開実用新案５−４８８７０号公報は、外刃箔がその長さ方向に沿って凸に湾曲した往復式電気かみそりを開示している。この電気かみそりは、外刃箔を長さ方向に沿って凸に湾曲させることで、肌の凹に湾曲した部分と外刃箔との密着度を高めている。この電気かみそりの外刃箔の曲率半径は、上記公報の図示形状から換算すると、１２０ｍｍ程度である。
【０００４】
しかしながら、上記公報に記載の電気かみそりでは、肌の凹に湾曲した部分では外刃箔と肌との密着度が高いものの、外刃箔が凸に湾曲しているため、顔の平坦な部分や鼻の下など凸に湾曲した部分では外刃箔の端部と肌との密着度が低く、何度も髭剃り動作を繰り返さなければならなかった。
【発明の開示】
【０００５】
本発明は上記の問題点を解決するために為されたものであって、顔の頬や鼻の下における外刃箔と肌との密着度を保ちつつ、顎から喉にかけての凹に湾曲した領域においても外刃箔と肌との密着度を向上させ、髭剃り効率を向上させた電気かみそりを提供することを目的とする。
【０００６】
本発明にかかる電気かみそりは、以下の構成を備える。
【０００７】
使用者の手で把持されるハンドグリップ；
ハンドグリップ上端に設けた刃ヘッド、この刃ヘッドは少なくとも一つの髭剃りユニットを有し、この髭剃りユニットは外刃箔及びこの外刃箔に剪断係合様式で駆動される内刃で構成される。
【０００８】
上記外刃箔は髭を導入する複数の孔を有し、上記外刃箔は長尺体で長さを有し、幅方向に沿って湾曲されて略Ｃ字形の断面を形成する横湾曲部を有し、上記外刃箔はその長さに沿って一様に凸に湾曲することで長手湾曲輪郭を有する。
【０００９】
本発明の特徴部分は、外刃箔の頂点を跨ぐ一様な曲率半径を有する上記横湾曲部の曲率半径は、１．５ｍｍ〜３．５ｍｍであるとともに上記長手湾曲輪郭の曲率半径が１５０ｍｍ〜３５０ｍｍということと、上記外刃箔の孔は外刃箔の長さにほぼ沿って延びる長軸を有する形状となり、上記外刃箔の中央部より長手方向の端部に行くに従って上記長軸が長くなるようなパターンで上記の孔が配列される点にある。上記長手湾曲輪郭の曲率半径を１５０ｍｍ〜３５０ｍｍとすることで、顔の様々な部分において、圧力分布があまり偏ることなく外刃箔と肌とが良好に密着し、髭剃り効率が向上する。
【００１０】
また、上記外刃箔の中央部より長手方向の端部に行くに従って上記長軸が長くなるようなパターンで上記の孔が配列することで、外刃箔を長手方向に動かした時に、凸に湾曲した外刃箔の端部において髭が孔に入りやすくなり、髭剃り効率が向上する。
【００１１】
さらに好ましくは、上記外刃箔の中央部より長手方向の端部に行くに従って上記外刃箔の長手方向軸に対して上記長軸がなす角度が大きくなるようなパターンで上記の孔が配列される。この場合、髭の軸方向が変化しても、髭が孔に入りやすくなる。
【００１２】
また、各孔は、その上端周囲に使用者の肌に接触する丸み付けされた肩部を残し、この肩部の曲率半径は、上記の外刃箔の長手方向の端部より中央部に行くに従って、小さくなるのも好ましい。上記肩部の曲率半径が小さくなると、肌が孔に入りにくくなる。従って、肌から受ける圧力が高くなりがちな外刃箔の中央部において肩部の曲率半径を外刃箔の中央部で小さくすることで、肌が孔に過剰に入り込むのを防止でき、肌への刺激を抑えることができる。
【００１３】
上記外刃箔の頂点を跨ぐ一様な曲率半径を有する上記横湾曲部の曲率半径は１．５ｍｍ〜３．５ｍｍの範囲が特に好ましい。この場合、鼻の下の狭い領域での髭剃り効率が高い。
【００１４】
また、上記の刃ヘッドは長手軸とこれに直交する横軸とを有する形状となり、２つの上記髭剃りユニットを保持するもので、各髭剃りユニットは上記の刃ヘッドの長手軸に沿った長尺体であるとき、上記２つの髭剃りユニットは、肌との接触により押し下げられた時に異なる肌接触圧を発生させるように構成されるのが好ましい。すなわち、一方の髭剃りユニットが発生させる肌接触圧を他方の髭剃りユニットの肌接触圧に比べて大きくする。これにより、肌接触圧の大きい髭剃りユニットを進行方向前側にして電気かみそりを使用すると、接触圧の大きい髭剃りユニットが肌を引張しやすくなり、進行方向後ろ側の髭剃りユニットが髭を刈り易くなる。
【００１５】
好ましくは、上記２つの外刃箔は長手方向軸の両端で上記の刃ヘッドにフロート支持され、各外刃箔は、外刃箔の長手方向軸が刃ヘッドの長手軸と或る角度で交差するようにバネ負荷に抗して傾動可能であると共に、髭剃りユニットの長手方向軸が刃ヘッドの長手軸と平行な状態でバネ負荷に抗して押し下げ可能であり、上記２つの外刃箔は刃ヘッドに対して互いに独立して傾動及び押し下げされる。
【図面の簡単な説明】
【００１６】
【図１】本発明の実施形態に係る電気かみそりの正面図である。
【図２】図１の電気かみそりの斜視図である。
【図３】図１の電気かみそりの一部を取り除いて示した背面図である。
【図４】図１の電気かみそりの外刃箔の略図である。
【図５Ａ】外刃箔と使用者の肌とが接触した状態を説明する図である。
【図５Ｂ】外刃箔と使用者の肌とが接触した状態を説明する図である。
【図６】図１の電気かみそりの外刃箔を平板状に広げた平面図である。
【図７Ａ】図１の電気かみそりの外刃箔の孔の拡大図である。
【図７Ｂ】図１の電気かみそりの外刃箔の孔の拡大図である。
【図７Ｃ】図１の電気かみそりの外刃箔の孔の拡大図である。
【図８】図１の電気かみそりの別の形状の外刃箔を平板状に広げた平面図である。
【図９Ａ】図８の電気かみそりの外刃箔の孔の拡大図である。
【図９Ｂ】図８の電気かみそりの外刃箔の孔の拡大図である。
【図９Ｃ】図８の電気かみそりの外刃箔の孔の拡大図である。
【図１０Ａ】図１の電気かみそりの外刃箔の孔の部分断面図である。
【図１０Ｂ】図１の電気かみそりの外刃箔の孔の部分断面図である。
【図１０Ｃ】図１の電気かみそりの外刃箔の孔の部分断面図である。
【図１１】図１の電気かみそりの外刃ブロックの組み立て分解斜視図である。
【図１２】図１の電気かみそりのヘッドブロックの分解斜視図である。
【図１３Ａ】図１の電気かみそりが寝ている髭を剃る方法を説明するための図である。
【図１３Ｂ】図１の電気かみそりが寝ている髭を剃る方法を説明するための図である。
【図１３Ｃ】図１の電気かみそりが寝ている髭を剃る方法を説明するための図である。
【図１４】図１の電気かみそりの外刃箔の間隔を説明するための図である。
【図１５】図１の電気かみそりの組み立て分解斜視図である。
【図１６】図１の電気かみそりの組み立て分解斜視図である。
【発明を実施するための最良の形態】
【００１７】
本発明を詳細に説述するために、添付の図面に従ってこれを説明する。
【００１８】
図１、２に示すように、本発明の実施形態に係る電気かみそりは、使用者の手で把持されるハンドグリップ１０と、３つの平行な髭剃ユニット５０，６０を有する刃ヘッド２０とからなる。刃ヘッド２０は、ハンドグリップ１０の上端に移動自在に支持されたヘッドブロック３０と、ヘッドブロック３０に着脱自在に保持された外刃ブロック４０とから構成される。上記髭剃ユニットのうち外側にある２つの外側髭剃ユニット５０は、比較的短い髭を剃るように設計されており、それぞれ外刃箔７０と、その外刃に剪断係合様式で駆動される内刃８０とからなる。もうひとつの中央にある中央髭剃ユニット６０は、比較的長い髭を剃るように設計されており、外刃箔６１と、上記内刃８０の往復駆動に連動して往復駆動される内刃６３（図１１参照）とからなる。
【００１９】
ハンドグリップ１０は縦に長く、図３に示すように、充電式電池１７やリニアモーター３３を駆動する駆動回路などを収容する防水ハウジング１１を内部に備える。上記駆動回路を稼動させるためのスイッチボタン１２はハンドグリップ１０の正面に配置される。ハンドグリップ１０の背面には、図１５，１６に示すように、トリマーユニット２００が備えられる。
【００２０】
刃ヘッド２０は、ハンドグリップ１０から独立して形成されており、後述するように、ハンドグリップ１０に移動自在に支持され、髭剃ユニット５０，６０を使用者の肌のさまざまな領域にスムーズ且つ効果的に接触させるために、ハンドグリップ１０に対してヘッドブロック３０が回転動作と上下動作との組み合わせをうまく達成できるようになっている。
【００２１】
ここで、髭剃りユニット５０の外刃箔７０について詳細に説明する。外刃箔７０は、髭を導入する複数の孔７３を有し（図６参照）、長尺体で長さを有し、図４に示すように、幅方向Ｙに沿って湾曲されて略Ｃ字形の断面を形成すると共に、長さ方向Ｘに沿って一様に凸に湾曲されて長手湾曲輪郭を形成している。ここにおいて、上記長手湾曲輪郭の曲率半径ＲLは、１５０ｍｍ〜３５０ｍｍの範囲であり、それはこれまでの電気かみそりでは用いられていなかった極めて緩やかな曲率半径である。そのような曲率半径に設計することで、頬などの平坦な部分や鼻の下などの凸に湾曲した部分、顎下から喉にかけての凹に湾曲した部分のいずれにおいても、外刃箔７０の長手方向の全域が、圧力分布があまり偏ることなく良好に肌に密着することができる。上記曲率半径ＲLを３５０ｍｍ以上とすると、図５Ａに示すように、肌の凹に湾曲した部分では外刃箔７０の両端部のみが肌に強く接触し、外刃箔７０の中央部が肌と接触しにくくなる。また、上記曲率半径ＲLを１５０ｍｍ以下とすると、図５Ｂに示すように、顔の平坦な部分では外刃箔７０の長さ方向の中央部のみが肌に強く接触し、長手方向の両端部と肌とがほとんど接触しなくなる。つまり、曲率半径ＲLを、１５０ｍｍ〜３５０ｍｍの範囲とすることで、頬や鼻の下における外刃箔と肌との密着度を保ちつつ、顎から喉にかけての凹に湾曲した領域においても外刃箔と肌との密着度を向上させることができ、顔全体の髭剃り効率を向上させることができる。また、外刃箔７０の幅方向Ｙの上記略Ｃ字形断面は、外刃箔７０の頂点を跨ぐ一様な曲率半径ＲSを有する横湾曲部を有し、上記曲率半径ＲSは１．５ｍｍ〜３．５ｍｍの範囲、特に２．５ｍｍ付近の値に設定されている。そのように曲率半径ＲSを設定することで、鼻の下の狭い部分での髭剃り効率を高くすることができる。
【００２２】
次に、図６、図７Ａ〜図７Ｃを参照して、外刃箔７０のネット状の孔７３について説明する。図６は、平板状に広げられた外刃箔７０平面図であり、図７Ａは、外刃箔７０の長手方向の中央部に設けられた孔７３の拡大図であり、図７Ｂは、外刃箔７０の長手方向の中央部から少し右（或いは左）よりの箇所に設けられた孔７３の拡大図であり、図７Ｃは、外刃箔７０の端部に設けられた孔７３の拡大図である。図７Ａ〜図７Ｃに示すように、孔７３は外刃箔７０の長さにほぼ沿って延びる長軸Ｍを有する六角形状であり、外刃箔７０の中央部より長手方向の端部に行くに従って長軸Ｍが長くなるようなパターンで配列されている。外刃箔７０が長さに沿って一様に凸に湾曲している場合、長手方向端部に位置する孔７３の長軸Ｍを長くすることで、長さ方向から見た時の孔７３の開口面積を大きくできる。従って、使用者が外刃箔７０を長手方向に沿って動かした時に、髭が孔７３に入りやすくなる。
【００２３】
好ましくは、図８、図９Ａ〜９Ｃに示すように、外刃箔７０の長手方向の中央部より端部に行くに従って、外刃箔７０の長さ方向Ｘに対して長軸Ｍがなす角度が大きくなるようなパターンで孔７３を配置する。図９Ａは、外刃箔７０の中央部に設けられた孔７３の拡大図であり、図９Ｂは、外刃箔７０の中央部から少し右（図８における右）よりの箇所に設けられた孔７３の拡大図であり、図９Ｃは、外刃箔７０の右側の端部に設けられた孔７３の拡大図である。このように孔７３の角度を変化させることで、顔に沿って電気かみそりを移動させている時に髭の軸方向が回転しても、髭が孔７３に入りやすくなる。
【００２４】
ところで、図１０Ａに示すように、各孔７３は、その上端周囲に使用者の肌に接触する丸み付けされた肩部７４を有している。この肩部７４の曲率半径ＲCは外刃箔７０の長手方向の端部より中央部に行くに従って、小さくなるのが好ましい。図１０Ｂに示すように、肩部７４の曲率半径ＲCが大きいと外刃箔７０の孔７３に入り込む肌の深さＤが深くなり、図１０Ｃに示すように曲率半径ＲCが小さいと孔７３に入り込む肌の深さＤが浅くなる。孔７３に肌が深く入り込むと、内刃８０が肌に強く接触し、刺激感が強い。そこで、肌から受ける圧力が高くなりがちな外刃箔の中央部において肩部７４の曲率半径ＲCを小さくすることで、肌が孔に過剰に入り込むのを防止でき、肌への刺激を抑えることができる。
【００２５】
以上のように構成された外刃箔７０は、中央髭剃りユニット６０と共に、外刃ブロック４０に一体化される。外刃ブロック４０は、図１１に示すように、矩形状のフレーム４１を備え、フレーム４１は、外刃箔７０を備えた一対の外刃カセット７１と中央髭剃りユニット６０とを保持する。各外刃カセット７１は、長手方向の両端にスタブ７２を備えており、スタブ７２がフレーム４１の長手方向の両端に設けられた縦溝４５にスライド自在に支持される。中央髭剃りユニット６０は、外刃箔６１を有するシャーシ６２を備え、シャーシ６２は、内刃６３が外刃箔６１に対して往復運動できるように内刃６３を保持する。シャーシ６２は長手方向の両端が、フレーム４１の両端に設けられた中央縦溝４６にスライド自在に保持される。一対の外刃カセット７１と中央髭剃りユニット６０とを保持したフレーム４１の周囲はカバー部材４２，４３で覆われる。外刃ブロック４０は、フレーム４１の長手方向の両端に設けた孔４４が、ヘッドブロック３０の長手方向の両端に設けた突起３１に係合することで、ヘッドブロック３０に着脱自在に保持される。
【００２６】
ヘッドブロック３０は、図１２に示すように、幅方向に沿って細長く、その中にリニアモータ３３を収容する。リニアモータ３３は、防水性のゴムチューブ３６の中を通ったリード線３４によって、ハンドグリップ１０の中の上記駆動回路と電気的に接続され、ヘッドブロック３０の幅方向軸に沿って２つの往復駆動素子３２を往復運動させる。外側髭剃ユニット５０の内刃８０は、往復駆動素子３２に装着されたバネ３５によって上方に付勢された状態で、往復駆動素子３２に取り付けられる。外刃ブロック４０がヘッドブロック３０に装着されると、内刃８０が外刃箔７０に弾接し、外刃箔７０が上方に付勢される。これにより、各髭剃りユニット５０は、刃ヘッド２０にフロート支持され、肌との接触により、互いに独立して押し下げ可能となる。すなわち、２つの外刃箔７０は長手方向軸の両端で刃ヘッド２０にフロート支持され、各外刃箔７０は、長手方向軸が刃ヘッド２０の長手軸と或る角度で交差するようにバネ負荷に抗して傾動可能であると共に外刃箔７０の長手方向軸が刃ヘッド２０の長手軸と平行な状態でバネ負荷に抗して押し下げ可能であり、２つの外刃箔７０は刃ヘッド２０に対して互いに独立して傾動及び押し下げされる。このように、刃ヘッド２０を構成することで、顔の様々な領域において外刃箔７０と肌とが良好に密着し、髭剃り効率が向上する。特に本実施形態のように外刃箔７０が長さに沿って一様に凸に湾曲している場合、使用者が電気かみそりを長手方向に沿って動かして髭を剃ることが想定されるが、そのような場合でも、外刃箔７０が互いに独立して傾動および押し下げ可能であれば、外刃箔７０と肌との密着度を高めることができる。
【００２７】
ところで、上述のように、刃ヘッド２０は長手軸とこれに直交する横軸とを有する形状であり、刃ヘッド２０の長手軸に沿った長尺体である２つの外側髭剃りユニット５０を保持し、２つの外側髭剃りユニット５０は、上記横軸に沿った刃ヘッド２０の両端部へ互いに離間した状態で配置される。このように２つの髭剃りユニットを配置することで、電気かみそりを前後方向に動かして髭を剃る時、進行方向の前側の髭剃りユニットが肌に埋もれている髭や寝ている髭を起こし、進行方向の後側の髭剃りユニットが起こされた髭を短く剃ることができる。すなわち、２つの髭剃りユニット５０が肌の上を進む時、図１３Ａに示すように、進行方向前側（図１３Ａ中の左側）の外刃箔７０は後方の肌を引張しながら前に進む。従って、図１３Ｂに示すように、進行方向の前方に肌に埋もれた髭や寝ている髭があっても、図１３Ｃに示すように、進行方向前側の外刃箔７０が通過した後に、進行方向前側の外刃箔７０が肌を引っ張り、髭が起こされる。進行方向後ろ側の髭剃りユニット７０は、その起こされた髭を切断する。なお、真ん中の髭剃りユニット６０は、構造上短い毛を刈ることはできないため、理解を容易にするために、図１３Ａ〜１３Ｃにおいては髭剃りユニット６０の記載を省略した。
【００２８】
好ましくは、図１４に示すように、２つの髭剃りユニット、すなわち外刃箔７０は、上記横湾曲部の曲率半径ＲSの０．５〜２倍の距離Ｌで互いに離間する。上記間隔Ｌが小さい（Ｌ＜０．５ＲS）場合、２つの外刃箔７０の間には両外刃箔７０からの接触圧が及び、その結果２つの外刃箔７０の間の肌は、あまり引き延ばされない。従って、肌に埋もれた髭や寝ている髭が起こされる前に後ろ側の外刃箔７０が髭を通過してしまい、肌に埋もれた髭や寝ている髭を刈ることができない場合が増える。また、上記間隔Ｌが大きい（Ｌ＞２ＲS）場合、進行方向前側の外刃箔７０が肌を引っ張る力が後ろ側の外刃箔７０の付近まで及ばなくなり、前方の外刃箔７０が起こした髭が後ろ側の外刃箔７０が通過する時には再度寝てしまい、やはり髭を刈ることができない場合が増える。すなわち、２つの外刃箔７０は、横湾曲部の曲率半径ＲSの０．５〜２倍の距離で互いに離間するのが最も髭剃り効率が高い。
【００２９】
また、２つの外側髭剃りユニット５０を、肌との接触により押し下げられた時に異なる肌接触圧を発生させるように構成する（換言すれば、一方の髭剃りユニットが発生させる肌接触圧を他方の髭剃りユニットの肌接触圧に比べて大きくする）のも好ましい。一般に、進行方向前側の外刃箔７０と肌との接触圧Ｐ１（図１３Ａ参照）が大きく、且つ後ろ側の外刃箔７０と肌との接触圧Ｐ２が小さいほど（換言すれば、接触圧Ｐ１と接触圧Ｐ２の差が大きいほど）、肌が強く引っ張られ、髭が起きやすくなる。そこで、一方の髭剃りユニット（進行方向前側の髭剃りユニット）が発生させる肌接触圧を他方の髭剃りユニット（進行方向後ろ側の髭剃りユニット）の肌接触圧よりも大きくすることで、髭を起きやすくすることができる。本実施形態では、電気かみそりが正面側に傾き、且つ電気かみそりの正面側にスイッチボタン１２が設けられているので、多くの場合、電気かみそりの背面側が進行方向前側となる。従って、背面側の髭剃りユニット５０が発生させる肌接触圧を正面側の髭剃りユニット５０が発生させる肌接触圧よりも大きくする。背面側の髭剃りユニット５０が発生させる肌接触圧を大きくするためには、例えば、正面側の髭剃りユニットのフロート量を背面側の髭剃りユニットのフロート量より大きくしたり、正面側の髭剃りユニットのフロート力を背面側の髭剃りユニットのフロート力より小さくしたり、或いは、正面側の髭剃りユニットの取り付け位置を背面側の髭剃りユニットの取り付け位置よりも下げたりすればよい。いずれの場合も、相対的に背面側の髭剃りユニット５０の肌接触圧を大きくできる。
【００３０】
刃ヘッド２０は、支持機構１００によって、ハンドグリップ１０に対して回転動作と上下動作との組み合わせをうまく達成できるようになっている。図３、図１２および図１５〜図１６を参照しながら、支持機構１００について説明する。支持機構１００は、ヘッドブロック３０の下端から垂下する一対の略Ｕ字形のレバー１１０と、レバー１１０の下面を支持するばねブロック１２０とを備える。上記レバー１１０はその上端がそれぞれヘッドブロック３０の厚み方向の両面の下端においてヘッドブロックの幅方向軸に沿って間隔をおいた点に突出したピン３７に回転可能に接続されており、それぞれのレバー１１０は、ハンドグリップ１０の厚さ方向軸と平行に延びる揺動軸Ｓの周りを回転することができる。ばねブロック１２０は、コイルばね１２１と板ばね１２２とを間に保持する上下のばね受け部材１２３，１２４を備え、上側のばね受け部材１２４はレバー１１０の下面を支持し、下側のばね受け部材１２３はハンドグリップ１０の上面に固定される。ばねブロック１２０は、刃ヘッド２０を中立位置へと推し進めるための付勢力を与える。
【００３１】
それぞれのレバー１１０は、下面をばねブロック１２０で支持されながら、ハンドグリップ１０を構成するハウジング１３，１４によってハンドグリップ１０の上部に形成された縦溝１５に上下にスライド自在に保持される。レバー１１０は、ばねブロック１２０と協調して、ハンドグリップ１０の上にヘッドブロック３０を浮動して支える圧縮可能バーを規定し、ヘッドブロック３０はコイルブロック１２０の付勢に抗して中立位置から下降することができる。ヘッドブロック３０は、中立位置、すなわち下降しない位置では、その幅方向軸がハンドグリップ１０の上下軸と直交するように保たれる。さらに、レバー１１０は、少なくとも一つのピン３７の周りにある程度の許容範囲を備えており、その許容範囲を備えた状態でそれぞれの上端でヘッドブロック３０に対して回転するので、ヘッドブロック３０は、いずれか一方のレバー１１０で対応するコイルブロック１２０を圧縮しながら、他方のピン３７の周り、すなわち対応するレバー１１０の一方の揺動軸Ｓの周りを回転することができる。なお、支持機構１００はアジャスター１３０を備えており、そのアジャスターは、板ばね１２２を選択的に作動させて、髭剃ユニットに与えられる接触圧を調整することができる。このように、刃ヘッド２０を移動自在に構成することで、さらに外刃箔７０と肌との密着度を高めることができ、髭剃り効率を向上できる。
【００３２】
以上のように、本発明の電気かみそりは、外刃箔と肌との密着度を高め、髭剃り効率を向上させることができる。
【００３３】
本発明は広範に異なる実施形態を構成できることは明白であり、添付の請求の範囲において限定した以外は、その特定の実施形態に制約されるものではない。
【図１】
0004870987.tif 000002
【図２】
0004870987.tif 000003
【図３】
0004870987.tif 000004
【図４】
0004870987.tif 000005
0004870987.tif 000006
0004870987.tif 000007
【図６】
0004870987.tif 000008
0004870987.tif 000009
【図８】
0004870987.tif 000010
0004870987.tif 000011
0004870987.tif 000012
0004870987.tif 000013
【図１１】
0004870987.tif 000014
【図１２】
0004870987.tif 000015
0004870987.tif 000016
0004870987.tif 000017
【図１４】
0004870987.tif 000018
【図１５】
0004870987.tif 000019
【図１６】
0004870987.tif 000020